(57)【特許請求の範囲】
【請求項１】
出力部と、
建物の部屋の少なくとも１つの部位の断熱仕様に関するデータを格納するメモリと、
プロセッサと、を備え、
前記プロセッサは、
前記メモリ内の改修前の建物の部屋の少なくとも１つの部位の断熱仕様と、
改修メニューに従った改修後の建物の部屋の少なくとも１つの部位の断熱仕様と、に基づいて、
改修前の建物の部屋の断熱効果の程度を示す情報と、
改修メニューに従った改修後の建物の部屋の断熱効果の程度を示す情報と、を計算し、
前記出力部に、改修前の建物の部屋の少なくとも１つの部位の断熱仕様及び改修前の建物の部屋の断熱効果の程度を示す情報と、
改修メニュー及び改修メニューに従った改修後の建物の部屋の断熱効果の程度を示す情報と、を対応付けて出力させ、
前記プロセッサが、
前記メモリ内の改修前の建物の部屋の断熱効果の程度を示す情報と、
改修メニューに従った改修後の建物の部屋の断熱効果の程度を示す情報と、を計算する際に、
改修前の建物の部屋の少なくとも１つの部位の断熱仕様と、
前記改修メニューに従った改修後の建物の部屋の少なくとも１つの部位の断熱仕様と、における気密の程度を計算し、
前記改修前の建物の部屋の少なくとも１つの部位の断熱仕様における気密の程度を計算する際に、
前記メモリには、メンテナンス状況を含む劣化情報と気密の程度との対応関係が記憶され、
前記プロセッサの入力部には、改修前の建物の部屋の少なくとも１つの部位の断熱仕様と、劣化情報とが入力され、
前記対応関係を参照して、入力された劣化情報に対応する気密の程度を特定し、入力された改修前の建物の部屋の少なくとも１つの部位の断熱仕様から、特定された気密の程度に基づいて改修後の建物の部屋の断熱効果の程度を示す情報を計算する、断熱効果を出力するためのコンピュータ。
【請求項２】
前記メモリ内の改修前の建物の部屋の複数の部位の断熱仕様と、
改修メニューに従った改修後の建物の部屋の複数の部位の断熱仕様の組み合わせとに基づいて、
前記プロセッサは、改修前の建物の部屋の断熱効果の程度を示す情報と
前記組み合わせ毎の改修メニューに従った改修後の建物の部屋の断熱効果の程度を示す情報と、を計算し、
前記出力部に、改修前の建物の部屋の複数の部位の断熱仕様及び改修前の建物の部屋の断熱効果の程度を示す情報と、
改修メニュー及び前記組み合わせ毎の改修メニューに従った改修後の建物の部屋の断熱効果の程度を示す情報と、を対応付けて出力させる、請求項１に記載の断熱効果を出力するためのコンピュータ。
【請求項３】
前記プロセッサは、
前記メモリ内の改修前の建物の部屋の少なくとも１つの部位の断熱仕様と、
改修メニューに従った改修後の建物の部屋の少なくとも１つの部位の複数種類の断熱仕様とに基づいて、
前記出力部に、改修前の建物の部屋の少なくとも１つの部位の断熱仕様及び改修前の建物の部屋の断熱効果の程度を示す情報と、
改修メニュー及び複数種類の断熱仕様毎の改修メニューに従った改修後の建物の部屋の断熱効果の程度を示す情報と、を対応付けて出力させる、請求項１に記載の断熱効果を出力するためのコンピュータ。
【請求項４】
前記計算が、前記プロセッサにて行われる場合、前記メモリを参照する、請求項１〜３のいずれか１項に記載の断熱効果を出力するためのコンピュータ。
【請求項５】
前記断熱効果が体感温度、暖冷房費または二酸化炭素の排出量のいずれか一つ以上であることを特徴とする、請求項１〜４のいずれか１項に記載の断熱効果を出力するためのコンピュータ。
【請求項６】
改修前の建物の部屋の少なくとも１つの部位の断熱仕様と、
改修後の建物の部屋の断熱効果の程度を示す情報とが入力される入力部をさらに備え、
前記メモリは、
改修前の建物の部屋の少なくとも１つの部位の断熱仕様と、
改修メニューと、
前記改修メニューに従った改修後の建物の部屋の断熱効果の程度を示す情報との対応関係を格納し、
前記プロセッサの入力部には、改修前の建物の部屋の少なくとも１つの部位の断熱仕様と、
改修後の建物の部屋の断熱効果の程度を示す情報とが入力され、
前記対応関係を参照することによって、改修前の建物の部屋の少なくとも１つの部位の断熱仕様に対応する、建物の部屋の少なくとも１つの部位の前記改修メニューを選択して出力する、請求項１から５のいずれか１項に記載の断熱効果を出力するためのコンピュータ。
【請求項７】
改修前の建物の部屋の少なくとも１つの部位の断熱仕様における気密の程度を計算する際に、
前記メモリには、建築年と気密の程度との対応関係が記憶され、
前記プロセッサの入力部には、改修前の建物の部屋の少なくとも１つの部位の断熱仕様と、建築年とが入力され、
前記対応関係を参照して、
入力された建築年に対応する気密の程度を特定し、
入力された改修前の建物の部屋の少なくとも１つの部位の断熱仕様から、特定された気密の程度に基づいて改修後の建物の部屋の断熱効果の程度を示す情報を計算する、請求項１に記載の断熱効果を出力するためのコンピュータ。
【請求項８】
改修前の建物の部屋の少なくとも１つの部位の断熱仕様における気密の程度を計算する際に、
前記プロセッサの入力部に、改修前の建物の部屋の少なくとも１つの部位の断熱仕様と、気密測定値とが入力され、
入力された改修前の建物の部屋の少なくとも１つの部位の断熱仕様から、前記気密測定値に基づいて改修後の建物の部屋の断熱効果の程度を示す情報を計算する、請求項１に記載の断熱効果を出力するためのコンピュータ。
【請求項９】
コンピュータに断熱効果の程度を示す情報を出力させるためのプログラムであって、
前記コンピュータは、出力部と、建物の部屋の少なくとも１つの部位の断熱仕様に関するデータを格納するメモリと、プロセッサとを含み、
前記メモリを参照することによって、改修前の建物の部屋の少なくとも１つの部位の断熱仕様と、改修メニューに従った改修後の建物の部屋の少なくとも１つの部位の断熱仕様とに基づいて、改修前の建物の部屋の断熱効果の程度を示す情報と、改修メニューに従った改修後の建物の部屋の断熱効果の程度を示す情報とを計算するステップと、
前記出力部に、改修前の建物の部屋の少なくとも１つの部位の断熱仕様及び改修前の建物の部屋の断熱効果の程度を示す情報を示す情報と、改修メニュー及び改修メニューに従った改修後の建物の部屋の断熱効果の程度を示す情報を示す情報と、を対応付けて出力させるステップと、を前記プロセッサに実行させ、
前記プロセッサが、
前記メモリ内の改修前の建物の部屋の断熱効果の程度を示す情報と、
改修メニューに従った改修後の建物の部屋の断熱効果の程度を示す情報と、を計算するステップの際に、
改修前の建物の部屋の少なくとも１つの部位の断熱仕様と、
前記改修メニューに従った改修後の建物の部屋の少なくとも１つの部位の断熱仕様と、における気密の程度を計算するステップと、
前記改修前の建物の部屋の少なくとも１つの部位の断熱仕様における気密の程度を計算するステップの際に、
前記メモリには、メンテナンス状況を含む劣化情報と気密の程度との対応関係が記憶されるステップと、
前記プロセッサの入力部には、改修前の建物の部屋の少なくとも１つの部位の断熱仕様と、劣化情報とが入力され、
前記対応関係を参照して、入力された劣化情報に対応する気密の程度を特定し、入力された改修前の建物の部屋の少なくとも１つの部位の断熱仕様から、特定された気密の程度に基づいて改修後の建物の部屋の断熱効果の程度を示す情報を計算するステップとを含む、コンピュータに断熱効果を出力させるためのプログラム。
【請求項１０】
コンピュータにおける断熱効果の程度を示す情報を出力するための方法であって、
前記コンピュータは、
ポインティングデバイスと、
出力部と、建物の部屋の少なくとも１つの部位の断熱仕様に関するデータを格納するメモリと、プロセッサとを含み、
前記プロセッサは、
前記ポインティングデバイスからの指示に応じて、前記メモリを参照することによって、改修前の建物の部屋の少なくとも１つの部位の断熱仕様と、改修メニューに従った改修後の建物の部屋の少なくとも１つの部位の断熱仕様とに基づいて、改修前の建物の部屋の断熱効果の程度を示す情報と改修後の建物の部屋の断熱効果の程度を示す情報とを計算するステップと、
前記プロセッサは、前記ポインティングデバイスからの指示に応じて、前記出力部に、改修前の建物の部屋の少なくとも１つの部位の断熱仕様及び改修前の建物の部屋の断熱効果の程度を示す情報を示す情報と、
改修メニュー及び改修メニューに従った改修後の建物の部屋の断熱効果の程度を示す情報を示す情報と、を対応付けて出力させるステップと、を備え、
前記プロセッサが、
前記メモリ内の改修前の建物の部屋の断熱効果の程度を示す情報と、
改修メニューに従った改修後の建物の部屋の断熱効果の程度を示す情報と、を計算するステップの際に、
改修前の建物の部屋の少なくとも１つの部位の断熱仕様と、
前記改修メニューに従った改修後の建物の部屋の少なくとも１つの部位の断熱仕様と、における気密の程度を計算するステップと、
前記改修前の建物の部屋の少なくとも１つの部位の断熱仕様における気密の程度を計算するステップの際に、
前記メモリには、メンテナンス状況を含む劣化情報と気密の程度との対応関係が記憶されるステップと、
前記プロセッサの入力部には、改修前の建物の部屋の少なくとも１つの部位の断熱仕様と、劣化情報とが入力され、
前記対応関係を参照して、入力された劣化情報に対応する気密の程度を特定し、入力された改修前の建物の部屋の少なくとも１つの部位の断熱仕様から、特定された気密の程度に基づいて改修後の建物の部屋の断熱効果の程度を示す情報を計算するステップとを、備える、コンピュータにおける断熱効果を出力するための方法。
【請求項１１】
出力部と、
建物の部屋の少なくとも１つの部位の断熱仕様に関するデータを格納するメモリと、
プロセッサと、を備え、
前記プロセッサは、
前記メモリ内の第１の建物の部屋の少なくとも１つの部位の断熱仕様と、第２の建物の部屋の少なくとも１つの部位の断熱仕様とに基づいて、第１の建物の部屋の断熱効果の程度を示す情報と、第２の建物の部屋の断熱効果の程度を示す情報と、を計算し、
前記出力部に、第１の建物の部屋の少なくとも１つの部位の断熱仕様及び第１の建物の部屋の断熱効果の程度を示す情報を示す情報と、
第２の建物の部屋の少なくとも１つの部位の断熱仕様及び第２の建物の部屋の断熱効果の程度を示す情報を示す情報と、を対応付けて出力させ、
前記プロセッサが、
前記メモリ内の改修前の建物の部屋の断熱効果の程度を示す情報と、
改修メニューに従った改修後の建物の部屋の断熱効果の程度を示す情報と、を計算する際に、
改修前の建物の部屋の少なくとも１つの部位の断熱仕様と、
前記改修メニューに従った改修後の建物の部屋の少なくとも１つの部位の断熱仕様と、における気密の程度を計算し、
前記改修前の建物の部屋の少なくとも１つの部位の断熱仕様における気密の程度を計算する際に、
前記メモリには、メンテナンス状況を含む劣化情報と気密の程度との対応関係が記憶され、
前記プロセッサの入力部には、改修前の建物の部屋の少なくとも１つの部位の断熱仕様と、劣化情報とが入力され、
前記対応関係を参照して、入力された劣化情報に対応する気密の程度を特定し、入力された改修前の建物の部屋の少なくとも１つの部位の断熱仕様から、特定された気密の程度に基づいて改修後の第１の建物の部屋および第２の建物の部屋の断熱効果の程度を示す情報を計算する、断熱効果を出力するためのコンピュータ。
【発明の詳細な説明】
【技術分野】
【０００１】
本発明は、建物の部屋の状態を出力するための技術に関し、特に建物の部屋の断熱効果を出力するための技術に関する。
【背景技術】
【０００２】
改修、改築、新築、または住み替えの見込み客に対して、改修、改築、新築、または住み替えによってどのようなメリットが生じるかを効率的に提示するための技術が提案されている。
【０００３】
たとえば、特開２００５−２９２９０７号公報（特許文献１）には、リフォーム工法提案装置、方法、及びプログラムが開示されている。
【０００４】
特許文献１によると、本発明のリフォーム工法提案方法は、コンピュータシステムを使用して建築物外壁のリフォーム工法を提案する方法であって、リフォームする建築物の着工年の入力を促す着工年入力ステップと、建築物の外壁を塗り替えた回数の入力を促す塗り替え回数入力ステップと、外壁に関するデータの入力を促すデータ入力ステップと、着工年入力ステップ、塗り替え回数入力ステップ、及びデータ入力ステップにおいて入力された情報に基づいて、施工可能な外壁のリフォーム工法を選択するステップと、選択されたリフォーム工法を表示するステップと、を有することを特徴としている。
【０００５】
特開２００３−０６７４４６号公報（特許文献２）には、住宅のリフォーム案算出システムが開示されている。
【０００６】
特許文献２によると、予め、施工者側データが記憶装置に蓄積されており、居住者側データが入力装置に入力されると、施工者側データと、居住者側データとに基づいて、算出装置が既存住宅に適合したリフォーム案を検索し、該検索結果が出力装置より出力される。
【０００７】
特開２０１０−２８２５４６号公報（特許文献３）には、諸条件に応じた住宅の光熱費を予測するための住宅販売関連事業支援システム、該システムに用いられるプログラム、該プログラムを格納したコンピュータ読み取り可能な記録媒体、及び住宅販売関連事業における予測光熱費提示方法が開示されている。
【０００８】
特許文献３によると、住宅販売関連事業支援システムは、住宅関連データベースと、契約種別データベースと、光熱費予測演算手段としての演算部と、を備え、この演算部は、ユーザにより入力された地域条件、生活様式条件、住宅仕様条件、及び設備仕様条件に合致する住宅関連データを住宅関連データベースから読み出して、この読み出した住宅関連データに適用可能な契約種別データを、地域条件により、適用可能なエネルギー供給会社の契約種別データベースから抽出し、この読み出した住宅関連データ及び抽出した契約種別データから入力内容に応じた予測光熱費を算出する際、創エネルギーによる売電料金により、調整予測光熱費を提示する。
【先行技術文献】
【特許文献】
【０００９】
【特許文献１】特開２００５−２９２９０７号公報
【特許文献２】特開２００３−０６７４４６号公報
【特許文献３】特開２０１０−２８２５４６号公報
【発明の概要】
【発明が解決しようとする課題】
【００１０】
しかしながら、改修、改築、新築、または住み替えによってどのようなメリットが生じるかをより効率的に提示するための技術が求められている。
【００１１】
本発明は、かかる問題を解決するためになされたものであり、その目的は、改修、改築、新築、または住み替えによってどのようなメリットが生じるかをより効率的に提示する断熱効果を出力するためのコンピュータ、コンピュータに断熱効果を出力させるためプログラム、およびコンピュータにおける断熱効果を出力するための方法を提供することにある。
【課題を解決するための手段】
【００１２】
（１）
この発明のある局面に従うと、出力部と、建物の部屋の少なくとも１つの部位の断熱仕様に関するデータを格納するメモリと、プロセッサとを備える断熱効果を出力するためのコンピュータが提供される。プロセッサは、メモリを参照することによって、改修前の建物の部屋の少なくとも１つの部位の断熱仕様と、改修メニューに従った改修後の建物の部屋の少なくとも１つの部位の断熱仕様とに基づいて、改修前の建物の部屋の断熱効果の程度を示す情報と、改修メニューに従った改修後の建物の部屋の断熱効果の程度を示す情報とが計算された結果から、プロセッサがメモリを参照して、出力部に、改修前の建物の部屋の少なくとも１つの部位の断熱仕様及び改修前の建物の部屋の断熱効果の程度を示す情報と、改修メニュー及び改修メニューに従った改修後の建物の部屋の断熱効果の程度を示す情報と、を対応付けて出力させることができる。
【００１３】
（２）
改修前の建物の部屋の複数の部位の断熱仕様と、改修メニューに従った改修後の建物の部屋の複数の部位の断熱仕様の組み合わせとに基づいて、改修前の建物の部屋の断熱効果の程度を示す情報と組み合わせ毎の改修メニューに従った改修後の建物の部屋の断熱効果の程度を示す情報とが計算された結果から、プロセッサが、出力部に、改修前の建物の部屋の複数の部位の断熱仕様及び改修前の建物の部屋の断熱効果の程度を示す情報と、改修メニュー及び組み合わせ毎の改修メニューに従った改修後の建物の部屋の断熱効果の程度を示す情報と、を対応付けて出力させる。
【００１４】
（３）
プロセッサは、改修前の建物の部屋の少なくとも１つの部位の断熱仕様と、改修メニューに従った改修後の建物の部屋の少なくとも１つの部位の複数種類の断熱仕様とに基づいて、出力部に、改修前の建物の部屋の少なくとも１つの部位の断熱仕様及び改修前の建物の部屋の断熱効果の程度を示す情報と、改修メニュー及び複数種類の断熱仕様毎の改修メニューに従った改修後の建物の部屋の断熱効果の程度を示す情報と、を対応付けて出力させる。
【００１５】
（４）
計算が、プロセッサにて行われる場合、メモリを参照する。
【００１６】
（５）
断熱効果が体感温度、暖冷房費または二酸化炭素の排出量のいずれか一つ以上であることを特徴とする。
【００１７】
（６）
改修前の建物の部屋の少なくとも１つの部位の断熱仕様と、改修後の建物の部屋の断熱効果の程度を示す情報とが入力される入力部をさらに備え、メモリは、改修前の建物の部屋の少なくとも１つの部位の断熱仕様と、改修メニューに従った改修後の建物の部屋の断熱効果の程度を示す情報との対応関係を格納し、プロセッサの入力部に、改修前の建物の部屋の少なくとも１つの部位の断熱仕様と、改修後の建物の部屋の断熱効果の程度を示す情報とが入力され、対応関係を参照することによって、改修前の建物の部屋の少なくとも１つの部位の断熱仕様に対応する、建物の部屋の少なくとも１つの部位の改修メニューを選択して出力する。
【００１８】
（７）
プロセッサが、改修前の建物の部屋の断熱効果の程度を示す情報と、改修メニューに従った改修後の建物の部屋の断熱効果の程度を示す情報とを計算する際に、改修前の建物の部屋の少なくとも１つの部位の断熱仕様と、改修メニューに従った改修後の建物の部屋の少なくとも１つの部位の断熱仕様とにおける気密の程度を計算する。
【００１９】
（８）
改修前の建物の部屋の少なくとも１つの部位の断熱仕様における気密の程度を計算する際に、メモリは、建築年と気密の程度との対応関係を記憶し、プロセッサの入力部に、改修前の建物の部屋の少なくとも１つの部位の断熱仕様と、建築年とが入力され、対応関係を参照して、入力された建築年に対応する気密の程度を特定し、入力された改修前の建物の部屋の少なくとも１つの部位の断熱仕様と、特定された気密の程度に基づいて改修前の建物の部屋の断熱効果の程度を示す情報を計算する。
【００２０】
（９）
改修前の建物の部屋の少なくとも１つの部位の断熱仕様における気密の程度を計算する際に、メモリは、劣化情報と気密の程度との対応関係を記憶し、プロセッサの入力部に、改修前の建物の部屋の少なくとも１つの部位の断熱仕様と、劣化情報とが入力され、対応関係を参照して、入力された劣化情報に対応する気密の程度を特定し、入力された改修前の建物の部屋の少なくとも１つの部位の断熱仕様と、特定された気密の程度に基づいて改修前の建物の部屋の断熱効果の程度を示す情報を計算する。
【００２１】
（１０）
改修前の建物の部屋の少なくとも１つの部位の断熱仕様における気密の程度を計算する際に、前記プロセッサの入力部に、改修前の建物の部屋の少なくとも１つの部位の断熱仕様と、気密測定値とが入力され、入力された改修前の建物の部屋の少なくとも１つの部位の断熱仕様と、前記気密測定値に基づいて改修前の建物の部屋の断熱効果の程度を示す情報を計算する。
【００２２】
（１１）
この発明の別の局面に従うと、コンピュータに断熱効果の程度を示す情報を出力させるためのプログラムが提供される。コンピュータは、出力部と、建物の部屋の少なくとも１つの部位の断熱仕様に関するデータを格納するメモリと、プロセッサとを含み、
メモリを参照することによって、改修前の建物の部屋の少なくとも１つの部位の断熱仕様と、改修メニューに従った改修後の建物の部屋の少なくとも１つの部位の断熱仕様とに基づいて、改修前の建物の部屋の断熱効果の程度を示す情報と、改修メニューに従った改修後の建物の部屋の断熱効果の程度を示す情報とを計算するステップと、
出力部に、改修前の建物の部屋の少なくとも１つの部位の断熱仕様及び改修前の建物の部屋の断熱効果の程度を示す情報を示す情報と、改修メニュー及び改修メニューに従った改修後の建物の部屋の断熱効果の程度を示す情報を示す情報と、を対応付けて出力させるステップと、をプロセッサに実行させる。
【００２３】
（１２）
この発明の別の局面に従うと、コンピュータにおける断熱効果の程度を示す情報を出力するための方法が提供される。コンピュータは、出力部と、建物の部屋の少なくとも１つの部位の断熱仕様に関するデータを格納するメモリと、プロセッサとを含み、プロセッサが、メモリを参照することによって、改修前の建物の部屋の少なくとも１つの部位の断熱仕様と、改修メニューに従った改修後の建物の部屋の少なくとも１つの部位の断熱仕様とに基づいて、改修前の建物の部屋の断熱効果の程度を示す情報と改修後の建物の部屋の断熱効果の程度を示す情報とを計算するステップと、プロセッサが、出力部に、改修前の建物の部屋の少なくとも１つの部位の断熱仕様及び改修前の建物の部屋の断熱効果の程度を示す情報を示す情報と、改修メニュー及び改修メニューに従った改修後の建物の部屋の断熱効果の程度を示す情報を示す情報と、を対応付けて出力させるステップと、を備える。
【００２４】
（１３）
この発明の別の局面に従うと、出力部と、建物の部屋の少なくとも１つの部位の断熱仕様に関するデータを格納するメモリと、プロセッサとを備える、断熱効果を出力するためのコンピュータが提供される。第１の建物の部屋の少なくとも１つの部位の断熱仕様と、第２の建物の部屋の少なくとも１つの部位の断熱仕様とに基づいて、第１の建物の部屋の断熱効果の程度を示す情報と第２の建物の部屋の断熱効果の程度を示す情報とが計算された結果から、プロセッサが、メモリを参照して、出力部に、第１の建物の部屋の少なくとも１つの部位の断熱仕様及び第１の建物の部屋の断熱効果の程度を示す情報を示す情報と、第２の建物の部屋の少なくとも１つの部位の断熱仕様及び第２の建物の部屋の断熱効果の程度を示す情報を示す情報と、を対応付けて出力させる。
【発明の効果】
【００２５】
以上のように、本発明によって、改修、改築、新築、または住み替えによってどのようなメリットが生じるかをより効率的に提示することができる、断熱効果を出力するためのコンピュータ、コンピュータに断熱効果を出力させるためプログラム、およびコンピュータにおける断熱効果を出力するための方法が提供される。
【図面の簡単な説明】
【００２６】
【図１】本実施の形態に係るコンピュータのディスプレイに表示された体感温度の表示画面を示すイメージ図である。
【図２】本実施の形態に係るコンピュータの構成を示すブロック図である。
【図３】Ｕ値データベースを示すイメージ図である。
【図４】本実施の形態に係るＣＰＵが実行する処理の概要を示すフローチャートである。
【図５】入力データを示す第１のイメージ図である。
【図６】入力データを示す第２のイメージ図である。
【図７】入力データを示す第３のイメージ図である。
【図８】放射温度（≒表面温度Ｔｈ）の計算方法を示すイメージ図である。
【図９】熱損失係数ＱＲ値の計算方法を示すイメージ図である。
【図１０】壁床種類データベースを示すイメージ図である。
【図１１】開口部種類データベースを示すイメージ図である。
【図１２】年代データベースを示すイメージ図である。
【図１３】壁等級データベースを示すイメージ図である。
【図１４】床等級データベースを示すイメージ図である。
【図１５】天井等級データベースを示すイメージ図である。
【図１６】劣化情報データベースを示すイメージ図である。
【図１７】部位別点数データベース１３８２を示すイメージ図である。
【図１８】合計劣化情報データベース１３８３を示すイメージ図である。
【発明を実施するための形態】
【００２７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２８】
＜コンピュータ１００の全体構成＞
先ず、本実施の形態に係るコンピュータ１００の構成について説明する。図２は、本実施の形態に係るコンピュータ１００の構成を示すブロック図である。
【００２９】
図２を参照して、本実施の形態に係るコンピュータ１００には、少なくとも、出力部（以下、タッチパネルと表記する）１２０と、メモリ１３０と、プロセッサ（以下、ＣＰＵと表記する）１１０とを備える。
上記コンピュータ１００には、さらに、メモリインターフェイス１４０と、通信インターフェイス１５０と、ボタン１７０とが含まれている。
【００３０】
タッチパネル１２０には、ディスプレイ１２１と、ポインティングデバイス１２２とが含まれている。タッチパネル１２０は、抵抗膜方式、表面弾性波方式、赤外線方式、電磁誘導方式、静電容量方式などのいずれのタイプであってもよい。タッチパネル１２０は、光センサ液晶を含んでもよい。
【００３１】
タッチパネル１２０は、ＣＰＵ１１０からの命令（信号）に基づいて、文字または画像を出力して表示する。たとえば、ＣＰＵ１１０は、タッチパネル１２０に、外壁、窓、床、天井などの断熱仕様の組み合わせに対応付けて、体感温度、暖冷房費、二酸化炭素の排出量（ＣＯ２排出量）などの断熱効果の程度を出力して表示させる。また、ＣＰＵ１１０は、プログラムに基づいて、タッチパネル１２０に各種のソフトウェアボタンを表示させたりする。
【００３２】
タッチパネル１２０は、所定時間毎に外部の物体によるタッチパネル１２０へのタッチ操作を検知して、タッチ座標（接触座標）をＣＰＵ１１０に入力する。換言すれば、ＣＰＵ１１０は、タッチパネル１２０から順次タッチ座標を取得する。ＣＰＵ１１０には、タッチ座標に基づいて、ユーザからの命令が入力される。
【００３３】
メモリ１３０は、各種のＲＡＭ（Random  Access  Memory）、ＲＯＭ（Read-Only  Memory）、および／またはハードディスクなどによって実現される。メモリ１３０には、ＣＰＵ１１０によって実行されるプログラムや、予め格納されておくべき建物データベースと、建物データベースに関連付けられる物性データベースや、ｉｎｐｕｔ情報や、ｉｎｐｕｔ情報に基づいてコンピュータ１００（またはＣＰＵ１１０）で計算（処理）された断熱効果等の計算結果などが格納されている。なお、コンピュータ１００（またはＣＰＵ１１０）で計算（処理）された途中の過程での、各数値、すなわち、隙間風換気回数ｎ’や、室温Ｔｉや、表面温度Ｔｈや、部屋Ｑ値ＱＲなどが格納されていてもよい。
【００３４】
予め格納されておくべき建物データベースと、建物データベースに関連付けられる物性データベースとは、ｉｎｐｕｔ情報の選択項目として出力するためのデータベースや、ＣＰＵ１１０の計算によって使用される、各種熱伝導率データ、各部位相当隙間面積データ、地域別外気温データ、デグリアワーデータ、空調機器効率データ、電気料金データ、一次エネルギー換算係数データ、施工費データなどの他に、図１２に示す、建物情報の建築年と気密の程度（たとえば、Ｃ値）との対応関係のデータベース１３８や、図１６〜１８に示す、劣化情報と気密の程度（たとえば、Ｃ値）との対応関係のデータベース１３８１〜１３８３などを示す。
【００３５】
ｉｎｐｕｔ情報とは、図４に示す、改修前の建物の仕様や、改修メニューなどのことである。
ここで、改修とは、改修前（現在）の建物の部屋の一つまたは複数の部位の断熱仕様を、断熱効果の程度に基づいて、より好適な断熱仕様に変更することをいい、改築、新築、または住み替えによって、現在の建物の部屋の一つまたは複数の部位の断熱仕様を、上記のように付加、変更、補修、改造などをすることを含む。
（部屋の）部位とは、部屋を囲う壁（外壁、間仕切壁等）、窓、床、天井、開口部などのことである。本実施の形態においては、各部位の各種物性であって、部位を特定するために各種物性の記号に、部位を示すｎを付して表す。
【００３６】
改修前の建物の仕様とは、邸名、都道府県、市区町村、工務店名、担当者名、調査日等の基本情報や、構法、建築年、建物方位等の建物情報や、部屋情報、暖房設定温度、階数、床面積等の部屋情報や、部屋の各部位の開口部情報や、部屋の各部位の劣化情報や、部屋の各部位の断熱仕様などのことである。
【００３７】
改修メニューとは、部屋の各部位の、改修により、より好適な断熱仕様へ変更する内容のことを示し、改修する部屋の各部位に取り付け可能な部材の種類、または断熱仕様を変更した仕様（断熱性の高い部材を追加した仕様または断熱性の高い部材に変更した仕様）のことをいい、具体的には、断熱性の高い部材の仕様、材質、規格、数量、メーカー、商品名、品番等や、それらの厚さ、大きさ、または積層あるいは複層等の使い方、取付方法、固定方法、加工方法などで表わされる。
【００３８】
図２に戻って、メモリインターフェイス１４０は、外部の記憶媒体１４１からデータを読み出す。換言すれば、ＣＰＵ１１０は、メモリインターフェイス１４０を介して外部の記憶媒体１４１に格納されているデータを読み出して、当該データをメモリ１３０に格納する。逆に、ＣＰＵ１１０は、メモリ１３０からデータを読み出して、メモリインターフェイス１４０を介して当該データを外部の記憶媒体１４１に格納する。
【００３９】
なお、記憶媒体１４１としては、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体が挙げられる。
【００４０】
通信インターフェイス１５０は、アンテナおよびコネクタによって実現される。通信インターフェイス１５０は、有線通信あるいは無線通信によって他の装置との間でデータをやり取りする。換言すれば、ＣＰＵ１１０は、通信インターフェイス１５０を介して、他の装置からプログラム、画像データ、テキストデータなどを受信したり、他の装置に画像データおよびテキストデータを送信したりする。
【００４１】
ボタン１７０は、コンピュータ１００の表面に配置される。コンピュータ１００には、文字キー、テンキー、十字キー、決定キーなどの複数のボタンが配置されても良い。ボタン１７０は、ユーザからの命令などを受け付ける。ボタン１７０は、ユーザからの命令をＣＰＵ１１０に入力する。
【００４２】
ＣＰＵ１１０は、メモリ１３０あるいは記憶媒体１４１に記憶されているプログラムを実行することによって、コンピュータ１００の各部を制御する。すなわち、ＣＰＵ１１０は、メモリ１３０あるいは記憶媒体１４１に記憶されているプログラムを実行することによって、様々な処理を実行する。
【００４３】
ＣＰＵ１１０を備えるコンピュータ１００は、改修前の部屋のｉｎｐｕｔ情報に基づいて、ＳＴＥＰ３の建物データベースのそれぞれの項目に対応付けてメモリに格納された物性データベースのそれぞれのデータに基づいて改修前の部屋の体感温度を計算する。また、コンピュータ１００は、改修メニューに従った改修後のｉｎｐｕｔ情報に基づいて、同様に改修後の部屋の体感温度を計算する。上記コンピュータ１００は、体感温度だけではなく、暖冷房および／または二酸化炭素の排出量（ＣＯ2排出量）を併せて計算してもよい。
【００４４】
＜動作概要＞
次に、本実施の形態に係るコンピュータ１００の動作概要について図４を参照しながら説明する。図４は、本実施の形態に係るＣＰＵ１１０が実行する処理の概要を示すフローチャートである。
図４を参照して、まず、ＣＰＵ１１０には、タッチパネル１２０またはボタン１７０を介して、リフォームの営業担当者などのユーザから一のｉｎｐｕｔ情報である改修前の建物の仕様が入力される（ＳＴＥＰ１）。
同様に、ＣＰＵ１１０には、タッチパネル１２０またはボタン１７０を介して、上記ユーザから他のｉｎｐｕｔ情報である改修メニューが入力される（ＳＴＥＰ２）。ＣＰＵ１１０は、メモリ１３０に予め格納された建物データベースと、該建物データベースに関連付けられて予め格納された物性データベースから必要なデータを読み出す（ＳＴＥＰ３）。
【００４５】
これらのｉｎｐｕｔ情報の内容は、たとえば図５〜７に示される。ｉｎｐｕｔ情報には、入力項目と選択項目とがあってもよい。
入力項目とは、入力するユーザによってその項目の内容を直接入力するものである。
また、選択項目とは、図４のＳＴＥＰ３に示す予め格納されておくべき建物データベースと、建物データベースに関連付けられる物性データベースの中から、ユーザが該当する内容を選択するものである。
ＣＰＵ１１０は、メモリ１３０に予め格納された、予め格納されておくべき建物データベースと、建物データベースに関連付けられる物性データベースの中から必要なデータを読み出す（ＳＴＥＰ３）。
【００４６】
ＣＰＵ１１０は、メモリ１３０の予め格納されておくべき建物データベースと、建物データベースに関連付けられる物性データベースとを参照することによって、ｉｎｐｕｔ情報、すなわち、改修前および改修メニューに従った改修後の入力データのそれぞれに基づいて、改修前、および改修メニューに従った改修後の隙間風換気回数ｎ´を計算する（ＳＴＥＰ４）。
【００４７】
ＣＰＵ１１０は、メモリ１３０の予め格納されておくべき建物データベースと、建物データベースに関連付けられる物性データベースとを参照することによって、ｉｎｐｕｔ情報および隙間風換気回数ｎ´に基づいて、改修前、および改修メニューに従った改修後の室温Ｔｉを計算する（ＳＴＥＰ５）。
【００４８】
ＣＰＵ１１０は、メモリ１３０の予め格納されておくべき建物データベースと、建物データベースに関連付けられる物性データベースとを参照することによって、ｉｎｐｕｔ情報および室温Ｔｉに基づいて、改修前、および改修後の表面温度Ｔｈを計算する（ＳＴＥＰ６）。
【００４９】
ＣＰＵ１１０は、室温Ｔｉと表面温度Ｔｈとに基づいて、改修前、および改修メニューに従った改修後の体感温度Ｔｔを算出する。ＣＰＵ１１０は、改修前、および改修メニューに従った改修後の体感温度をディスプレイ１２１に表示させる（ＳＴＥＰ７）。
【００５０】
ＣＰＵ１１０は、メモリ１３０の予め格納されておくべき建物データベースと、建物データベースに関連付けられる物性データベースとを参照することによって、ｉｎｐｕｔ情報および隙間風換気回数ｎ´に基づいて、改修前、および改修メニューに従った改修後の部屋の熱損失係数Ｑ値（ＱＲ）を算出する（ＳＴＥＰ８）。
【００５１】
ＣＰＵ１１０は、メモリ１３０の予め格納されておくべき建物データベースと、建物データベースに関連付けられる物性データベースとを参照することによって、ｉｎｐｕｔ情報および部屋のＱ値に基づいて、改修前、および改修メニューに従った改修後の暖冷房負荷Ｌを算出する（ＳＴＥＰ９）。
【００５２】
ＣＰＵ１１０は、暖冷房負荷Ｌに基づいて、改修前、および改修メニューに従った改修後の暖冷房費Ｍ［円／年］を計算する（ＳＴＥＰ１０）。
【００５３】
ＣＰＵ１１０は、暖冷房負荷Ｌに基づいて、二酸化炭素の排出量（ＣＯ２排出量）［ｋｇ−ＣＯ２／年］を算出する（ＳＴＥＰ１１）。
【００５４】
ＣＰＵ１１０は、メモリ１３０の予め格納されておくべき建物データベースと、建物データベースに関連付けられる物性データベースとを参照することによって、改修メニューに従った改修後の仕様に基づいて施工費を算出する（ＳＴＥＰ１２）。
【００５５】
図１は、本実施の形態に係るコンピュータ１００のディスプレイ１２１に、改修前の建物の部屋の少なくとも１つの部位の断熱仕様及び改修前の建物の部屋の断熱効果の程度を示す情報と、改修メニュー及び改修メニューに従った改修後の建物の部屋の断熱効果の程度を示す情報と、を対応付けて出力表示された表示画面を示すイメージ図である。
【００５６】
そして、図１に示すように、コンピュータ１００は、客に、改修前の部屋の断熱効果（体感温度、暖冷房費、二酸化炭素の排出量）の程度と、改修メニューに従った改修後の部屋の断熱効果の程度との違いが解るように、改修前の部屋の断熱効果の程度と、改修前の部屋の断熱効果の程度に対する、改修メニューに従った改修後の部屋の断熱効果の程度との差分と、をディスプレイ１２１に表示させる。
本実施の形態においては、複数の部位に渡る改修を考慮して、コンピュータ１００は、改修前の複数の部位の仕様の組み合わせに対応する断熱効果の程度と、改修前の部屋の断熱効果の程度に対する、改修メニューに従った改修後の複数の部位の仕様の複数種類の組み合わせそれぞれの断熱効果の程度の差分と、をディスプレイ１２１に表示させる。
【００５７】
なお、コンピュータ１００は、客に、差分ではなく、改修前の部屋の断熱効果の程度と、改修メニューに従った改修後の部屋の断熱効果の程度そのものとをディスプレイ１２１に表示させてもよい。また、コンピュータ１００は、改修前の複数の部位の仕様の組み合わせに対応する断熱効果の程度と、改修メニューに従った改修後の複数の部位の仕様の複数種類の組み合わせそれぞれの断熱効果の程度そのものと、をディスプレイ１２１に表示させてもよい。
【００５８】
＜主に体感温度を取得するためのＣＰＵ１１０の処理＞
以下では、主に体感温度を取得するためのＣＰＵ１１０の処理について詳述する。具体的には、本実施の形態に係るＣＰＵ１１０は、メモリ１３０に記憶されているプログラムに基づいて、以下の処理を実行する。
【００５９】
図５は、入力データ（ｉｎｐｕｔ情報）を示す第１のイメージ図である。図６は、入力データ（ｉｎｐｕｔ情報）を示す第２のイメージ図である。図７は、入力データ（ｉｎｐｕｔ情報）を示す第３のイメージ図である。
【００６０】
図５〜図７を参照して、ＣＰＵ１１０には、タッチパネル１２０およびボタン１７０を介してｉｎｐｕｔ情報（改修前の建物の仕様や、改修メニューなど）が入力される。なお、これらのｉｎｐｕｔ情報は既にメモリ１３０に格納されている場合があり、この時は、同じデータ（内容、値）であれば、ｉｎｐｕｔ情報の入力が省略されてもよい。
【００６１】
ＣＰＵ１１０は、入力されたデータに基づいて、後述するように、建物の部屋の各部位の、改修前の断熱仕様の組み合わせの体感温度と、より好適な断熱仕様の組み合わせの体感温度と、を計算する。具体的には、ＣＰＵ１１０は、以下のようにして、体感温度を計算する。
【００６２】
本実施の形態においては、ＣＰＵ１１０には、タッチパネル１２０またはボタン１７０を介して、ユーザから、対象となる基本情報、建物情報、部屋情報、開口部情報、劣化情報、断熱仕様が入力される。ＣＰＵ１１０は、建物の部屋の各種のｉｎｐｕｔ情報に基づいて、各部位の相当隙間面積αＡｎと床面積Ｓとから求められるＣ値（＝ΣαＡｎ／Ｓ）、工法、地域、建築年、劣化係数、空調温度Ｔａ（たとえば、１８度にデフォルト設定）、外気温度Ｔｏから、室温Ｔｉを計算する。
Ｃ値とは、断熱効果の程度を計算するために必要な気密の程度を示す数値のことである。
なお、他の英文字に付されるｎは、部屋の部位を数字にて特定する記号である。
【００６３】
ここで、図３は、Ｕ値データベース１３３を示すイメージ図である。Ｕ値とは熱貫流率のことである。図３を参照して、Ｕ値データベース１３３は、部屋の各部位の、改修前および改修メニューに従った改修後の仕様（各部位の構成要素の組み合わせ）とＵ値との対応関係を格納する。ＣＰＵ１１０は、Ｕ値データベース１３３を参照することによって、改修前の仕様に対するＵ値および客に提案する改修メニューに対するＵ値を取得することができる。
【００６４】
図８は、放射温度（≒表面温度Ｔｈ）の計算方法を示すイメージ図である。図８に示すように、ＣＰＵ１１０は、上記Ｕ値データベース１３３（図３）を参照して、部屋の各部位の熱貫流率Ｕｎ値を取得する。ＣＰＵ１１０は、部屋の各部位について、以下の式（１）に基づいて熱貫流量ｑｎを計算する。
ｑｎ＝Ｕｎ×（Ｔｉ−Ｔｏ）…（１）
ＣＰＵ１１０は、以下の式（２）に基づいて、屋内表面の総合熱伝達率αｉ（＝９．３）から表面温度Ｔｈｎを計算する。
Ｔｈｎ＝Ｔｉ−ｑｎ／αｉ…（２）
ＣＰＵ１１０は、以下の式（３）に基づいて、表面温度Ｔｈ（≒放射温度）を計算する。つまり、部屋の各部位の表面温度Ｔｈｎを各部位の面積Ｓｎで加重平均する。
Ｔｈ＝Σ（各部位のＴｈｎ×各部位の面積Ｓｎ）／Σ（各部位の面積Ｓｎ）…（３）
ＣＰＵ１１０は、以下の式（４）に基づいて、室温Ｔｉと放射温度（≒表面温度Ｔｈ）とから部屋の体感温度Ｔｔを計算する。
部屋の体感温度Ｔｔ≒（室温Ｔｉ＋放射温度）／２…（４）
【００６５】
さらに、本実施の形態においては、ＣＰＵ１１０は、部屋毎の、改修前の断熱仕様の場合の暖冷房費と、改修メニューに従ってより好適な断熱仕様に変更した場合の暖冷房費と、を計算する。
【００６６】
また、ＣＰＵ１１０は、ｉｎｐｕｔ情報等に基づいて、部屋毎の、改修前の断熱仕様の場合の二酸化炭素の排出量と、改修メニューに従ってより好適な断熱仕様に変更した場合の二酸化炭素の排出量と、を計算する。
【００６７】
図９は、対象となる部屋の熱損失係数ＱＲ値の計算方法を示すイメージ図である。図９を参照して、ＣＰＵ１１０は、対象となる部屋のＱＲ値を計算する。より詳細には、ＣＰＵ１１０は、以下の式（５）に基づいて、床から逃げる熱量ＱＦと、壁から逃げる熱量ＱＷと、換気によって逃げる熱量ＱＶと、開口部から逃げる熱量ＱＧと、天井から逃げる熱量ＱＣと、間仕切りから逃げる熱量ＱＰと、部屋の床面積ＳＲとから、部屋のＱＲ値を計算する。
ＱＲ＝（ＱＦ＋ＱＷ＋ＱＶ＋ＱＧ＋ＱＣ＋ＱＰ）／ＳＲ…（５）
ここで、ＱＦ＝ＵＦ×ＳＦである。ＱＷ＝ＵＷ×ＳＷである。ＱＶ＝０．３５×ｎ×Ｖである。ＱＧ＝ＵＧ×ＳＧである。ＱＣ＝ＵＣ×ＳＣである。ＱＰ＝ＵＰ×ＳＰである。ＣＰＵ１１０は、熱貫流率（Ｕ値）データベース１３３（図３）を参照して、各部位のＵ値を取得する。ここで、ｎは換気回数であり、Ｖは部屋情報より算定する気積である。
【００６８】
ＣＰＵ１１０は、部屋のＱＲ値に基づいて、暖冷房費と二酸化炭素の排出量とを計算する。なお、部屋のＱＲ値に基づいて、暖冷房費と二酸化炭素の排出量とを計算する技術は、公知であるため、ここでは説明を繰り返さない。
【００６９】
図１に戻って、ＣＰＵ１１０は、改修前の部屋の断熱効果（体感温度、暖冷房費、二酸化炭素の排出量）の程度と、改修前の部屋の断熱効果の程度に対する、改修メニューに従った改修後の部屋の断熱効果の程度の差分と、を対応付けてディスプレイ１２１に表示させる。より詳細には、ＣＰＵ１１０は、改修前の断熱仕様の組み合わせに対する部屋の断熱効果の程度と、改修前の体感温度に対する、改修メニューの複数の組み合わせに対する部屋の断熱効果の程度のそれぞれとの差分と、を対応付けてディスプレイ１２１に表示させる。
【００７０】
ただし、ＣＰＵ１１０は、改修前の部屋の断熱効果の程度と、改修メニューに従った改修後の部屋の断熱効果の程度そのものと、を対応付けてディスプレイ１２１に表示させてもよい。より詳細には、ＣＰＵ１１０は、改修前の断熱仕様の組み合わせに対する部屋の断熱効果の程度と、改修メニューの複数の組み合わせに対する部屋の断熱効果の程度そのものと、を対応付けてディスプレイ１２１に表示させてもよい。
【００７１】
＜変形例（自動で複数の改修メニューを選択）＞
上記の実施の形態においては、ＣＰＵ１１０が、自動的に、窓の断熱仕様が変更された場合の断熱効果の程度と、窓の断熱仕様と外壁の断熱仕様とが変更された場合の断熱効果の程度と、窓の断熱仕様と外壁の断熱仕様と床の断熱仕様とが変更された場合の断熱効果の程度とを計算するものであった。しかしながら、ＣＰＵ１１０は、各部位の改修メニューが１種類とは限らない。本変形例においては、ＣＰＵ１１０は、各部位においての複数種類の改修メニューに対する体感温度を計算する。
【００７２】
ＣＰＵ１１０に、タッチパネル１２０またはボタン１７０を介してユーザから改修前の壁の断熱仕様が入力されると、壁・床種類データベース１３１を参照して、壁についての複数の改修メニューが選択される。ＣＰＵ１１０は、Ｕ値データベース１３３を参照して、改修前の各部位の断熱仕様に対するＵ値を取得することによって、改修前の断熱効果の程度を計算する。そして、ＣＰＵ１１０は、Ｕ値データベース１３３を参照して、壁の複数種類の改修メニューに対する改修メニューに従った改修後の断熱効果の程度を計算する。図１に示すように、ＣＰＵ１１０は、それらの断熱効果の程度を比較可能な形式でディスプレイ１２１に表示させる。
【００７３】
あるいは、ＣＰＵ１１０に、タッチパネル１２０またはボタン１７０を介してユーザから改修前の床の断熱仕様が入力されると、壁・床種類データベース１３１を参照して、床についての複数の改修メニューが選択される。ＣＰＵ１１０は、Ｕ値データベース１３３を参照して、改修前の各部位の断熱仕様に対するＵ値を取得することによって、改修前の断熱効果の程度を計算する。そして、ＣＰＵ１１０は、Ｕ値データベース１３３を参照して、床の複数種類の改修メニューに対する改修メニューに従った改修後の断熱効果の程度を計算する。図１に示すように、ＣＰＵ１１０は、それらの体感温度を比較可能な形式でディスプレイ１２１に表示させる。
【００７４】
あるいは、ＣＰＵ１１０に、タッチパネル１２０またはボタン１７０を介してユーザから改修前の開口部の断熱仕様が入力されると、開口部種類データベース１３２を参照して、開口部についての複数の改修メニューが選択される。ＣＰＵ１１０は、Ｕ値データベース１３３を参照して、改修前の各部位の仕様に対するＵ値を取得することによって、断熱効果の程度を計算する。そして、ＣＰＵ１１０は、Ｕ値データベース１３３を参照して、開口部の複数種類の改修メニューに対する改修メニューに従った改修後の断熱効果の程度を計算する。図１に示すように、ＣＰＵ１１０は、それらの断熱効果の程度を比較可能な形式でディスプレイ１２１に表示させる。
【００７５】
＜変形例（地域と等級から）＞
上記の実施の形態においては、ＣＰＵ１１０が、タッチパネル１２０またはボタン１７０を介して、現在（改修前）の部屋の仕様を受け付けるものであった。すなわち、営業担当者などのユーザは、現在（改修前）の部屋の仕様を調べたり入力したりする必要があった。しかしながら、ＣＰＵ１１０が自動的に現在（改修前）の部屋の仕様を特定するものであってもよい。たとえば、少なくとも建物の地域（基本情報）と建築年（建物情報）とに基づいて、ＣＰＵ１１０が自動的に現在（改修前）の部屋の仕様を特定するものであってもよい。
【００７６】
図２に戻って、メモリ１３０は、壁等級データベース１３５、床等級データベース１３６、天井等級データベース１３７、年代データベース１３８、を記憶する。
【００７７】
図１２は、年代データベース１３８を示すイメージ図である。図１２を参照して、年代データベース１３８は、建築年別に、建物の等級とＣ値とを格納する。
【００７８】
図１３は、壁等級データベース１３５を示すイメージ図である。図１３を参照して、壁等級データベース１３５は、建物の等級と建物の地域（基本情報）とに応じた壁の断熱材の種類を格納する。
【００７９】
図１４は、床等級データベース１３６を示すイメージ図である。図１４を参照して、床等級データベース１３６は、建物の等級と建物の地域（基本情報）とに応じた床の断熱材の種類を格納する。
【００８０】
図１５は、天井等級データベース１３７を示すイメージ図である。図１５を参照して、天井等級データベース１３７は、建物の等級と建物の地域（基本情報）とに応じた天井の断熱材の種類を格納する。
【００８１】
ＣＰＵ１１０には、タッチパネル１２０またはボタン１７０を介してユーザから、対象となる建物の建築年（建物情報）と地域（基本情報）とが入力される。ＣＰＵ１１０は、年代データベース１３８を参照して、建物の等級を特定する。ＣＰＵ１１０は、壁等級データベース１３５を参照することによって、建物の等級と建物の地域（基本情報）とから、当該建物の壁に使用されている断熱材の種類（壁の断熱仕様）を把握することができる。ＣＰＵ１１０は、床等級データベース１３６を参照することによって、建物の等級と建物の地域（基本情報）とから、当該建物の床に使用されている断熱材の種類（床の断熱仕様）を把握することができる。ＣＰＵ１１０は、天井等級データベース１３７を参照することによって、建物の等級と建物の地域（基本情報）とから、当該建物の天井に使用されている断熱材の種類（天井の断熱仕様）を把握することができる。
【００８２】
＜変形例（自動で改修メニューを選択）＞
本実施の形態においては、ＣＰＵ１１０には、タッチパネル１２０またはボタン１７０を介して、改修前の部屋の断熱仕様と、改修メニューの断熱仕様とが共に入力されるものであった。すなわち、営業担当者などのユーザは、コンピュータ１００に、改修前の部屋の各部位の断熱仕様と、改修メニューの各部位の断熱仕様とを入力する必要があった。
【００８３】
しかしながら、ＣＰＵ１１０に、ユーザから改修前の部屋の各部位の断熱仕様と、改修後の部屋の断熱効果の程度を示す情報が入力されることによって、ＣＰＵ１１０自身が改修メニューの断熱仕様を選択してもよい。
【００８４】
前記のように、メモリ１３０には、ＣＰＵ１１０によって実行されるプログラムや、予め格納されておくべき建物データベースと、建物データベースに関連付けられる物性データベースの他に、ｉｎｐｕｔ情報や、ｉｎｐｕｔ情報に基づいてコンピュータ１００（またはＣＰＵ１１０）で計算（処理）された断熱効果等の計算結果が格納されている。
【００８５】
すなわち、過去に遡って、改修前の建物の部屋の少なくとも１つの部位の断熱仕様及び改修前の建物の部屋の断熱効果の程度を示す情報と、改修メニュー及び改修メニューに従った改修後の建物の部屋の断熱効果の程度を示す情報とが格納されている。
【００８６】
図１０は、壁・床種類データベース１３１を示すイメージ図である。図１０を参照して、壁・床種類データベース１３１は、改修によって壁および床に取り付け可能な部材の種類を複数含む。
【００８７】
図１１は、開口部種類データベース１３２を示すイメージ図である。図１１を参照して、開口部種類データベース１３２は、改修によって開口部に取り付け可能な部材の種類を複数含む。
【００８８】
ＣＰＵ１１０に、タッチパネル１２０またはボタン１７０を介してユーザから改修前の壁の断熱仕様と、改修後の部屋の断熱効果の程度を示す情報が入力されると、メモリ１３０に格納された、過去の、改修前の建物の部屋の少なくとも１つの部位の断熱仕様及び改修前の建物の部屋の断熱効果の程度を示す情報と、改修メニュー及び改修メニューに従った改修後の建物の部屋の断熱効果の程度を示す情報（以下、過去に格納された情報と略す）と、壁・床種類データベース１３１を参照して、壁の改修メニューが選択される。
同様に、ユーザから改修前の床の断熱仕様と、改修後の部屋の断熱効果の程度を示す情報が入力されると、過去に格納された情報と壁・床種類データベース１３１を参照して、床の改修メニューが選択される。
同様に、ユーザから改修前の開口部の断熱仕様と、改修後の部屋の断熱効果の程度を示す情報が入力されると、過去に格納された情報と開口部種類データベース１３２を参照して、開口部の改修メニューが選択される。
【００８９】
ＣＰＵ１１０は、Ｕ値データベース１３３を参照して、改修前の各部位の仕様に対するＵ値を取得することによって、断熱効果の程度を示す情報を計算する。そして、ＣＰＵ１１０は、Ｕ値データベース１３３を参照して、窓がグレードアップされた場合の断熱効果の程度を示す情報を計算する。ＣＰＵ１１０は、Ｕ値データベース１３３を参照して、窓と外壁とがグレードアップされた場合の断熱効果の程度を示す情報を計算する。ＣＰＵ１１０は、Ｕ値データベース１３３を参照して、窓と外壁と床とがグレードアップされた場合の断熱効果の程度を示す情報を計算する。
【００９０】
ただし、ＣＰＵ１１０は、材料の抵抗値（Ｒ値）［ｍ２・Ｋ／Ｗ］に基づいて、Ｕ値を計算してもよい。この場合ＣＰＵ１１０は、熱伝導率［Ｗ／ｍＫ］と厚み［ｍまたはｍｍ］とに基づいて、Ｒ値を計算してもよい。
【００９１】
図１に示すように、ＣＰＵ１１０は、それらの体感温度を比較可能な形式でディスプレイ１２１に表示させる。
【００９２】
＜変形例（Ｃ値を建築年、劣化情報、測定値から）＞
上記の実施の形態においては、ＣＰＵ１１０が、タッチパネル１２０またはボタン１７０を介して、相当隙間面積αＡｎと床面積Ｓとの入力、またはＣ値の入力を受け付けるものであった。すなわち、ユーザは、対象となる部屋の、相当隙間面積αＡｎおよび床面積Ｓ、またはＣ値を調べる必要があった。しかしながら、ＣＰＵ１１０は、少なくとも建物の建築年に基づいて、改修前の部屋のＣ値を特定してもよい。これによって、ユーザが対象となる部屋の、相当隙間面積αＡｎおよび床面積Ｓ、またはＣ値を測定することなく、ＣＰＵ１１０が室温Ｔｉを簡易に計算することができる。
【００９３】
より詳細には、ＣＰＵ１１０には、タッチパネル１２０またはボタン１７０を介してユーザから、対象となる建物の建築年が入力される（図５参照）。ＣＰＵ１１０は、年代データベース１３８を参照して、建物のＣ値を特定する。ＣＰＵ１１０は、Ｃ値を利用して体感温度を計算する。
【００９４】
あるいは、ＣＰＵ１１０は、タッチパネル１２０またはボタン１７０を介してユーザから劣化情報の入力を受け付けて（図７を参照。）、公知の方法によって当該劣化情報からＣ値を計算してもよい。
【００９５】
図１６は、劣化情報データベース１３８１を示すイメージ図である。図１６を参照して、劣化情報データベース１３８１は、劣化の程度とＣ値との対応関係を格納する。ＣＰＵ１１０は、タッチパネル１２０またはボタン１７０を介してユーザから劣化の程度の入力を受け付けて、劣化情報データベース１３８１を参照することによって、劣化の程度からＣ値を計算する。
【００９６】
図１７は、部位別点数データベース１３８２を示すイメージ図である。図１８は、合計劣化情報データベース１３８３を示すイメージ図である。図１７を参照して、部位別点数データベース１３８２は、部位毎の劣化の程度と点数との対応関係を格納する。図１８を参照して、合計劣化情報データベース１３８３は、点数の合計とＣ値との対応関係を格納する。
【００９７】
図１７および図１８を参照して、ＣＰＵ１１０は、タッチパネル１２０またはボタン１７０を介してユーザから部位毎の劣化の程度の入力を受け付けて、部位別点数データベース１３８２を参照することによって、部位毎の点数を取得する。ＣＰＵ１１０は、合計劣化情報データベース１３８３を参照することによって、点数の合計からＣ値を計算する。
【００９８】
なお、ユーザは、気密の程度を測定によって求めてもよい。この場合、ＣＰＵ１１０は、タッチパネル１２０またはボタン１７０を介してユーザから気密測定値の入力を受け付けて、公知の方法によって当該気密測定値からＣ値を計算する。      
【００９９】
［その他の実施の形態］
なお、本実施の形態においては、コンピュータ１００が、断熱効果の程度を示す情報として、改修前の断熱仕様に対する体感温度、暖冷房費、二酸化炭素の排出量と、改修メニューに従った改修後の断熱仕様に対する体感温度、暖冷房費、二酸化炭素の排出量と、を対応付けて出力するものであった。しかしながら、コンピュータ１００は、断熱効果の程度を示す情報として、改修前の断熱仕様に対する室温Ｔｉと、改修メニューに従った改修後の断熱仕様に対する室温Ｔｉと、を対応付けて出力してもよい。あるいは、コンピュータ１００は、断熱効果の程度を示す情報として、改修前の断熱仕様に対する表面温度Ｔｈと、改修メニューに従った改修後の断熱仕様に対する表面温度Ｔｈと、を対応付けて出力してもよい。
【０１００】
その他、断熱効果としては、建物の部屋の各部位の断熱仕様に応じた断熱の効果として表わされる指標であれば限定されるものではなく、たとえば、気密性能や、換気回数や、温熱環境６要素（空気温度、湿度、放射、気流、着衣量、活動量）、温熱環境評価指数であるＰＭＶ（Predicted  Mean  Vote；予測温冷感申告；ＩＳＯ７７３０（１９９４））・ＰＰＤ（Predicted  Percentage  of  Dissatisfied；予測不快者率；ＩＳＯ７７３０（１９９４））、上下温度（分布）等の快適性や、アレルギーの改善、ヒートショックリスク低減、喘息の改善等の健康性などが挙げられる。
【０１０１】
また、本実施の形態においては、コンピュータ１００が、同一の建物の同一の部屋に関して、改修前の断熱仕様に対する断熱効果と、改修メニューに従った改修後の断熱仕様に対する断熱効果と、を対応付けて出力するものであった。しかしながら、コンピュータ１００は、上記の実施の形態と同様に、コンピュータ１００が、既存建物などの第１の建物の部屋の断熱仕様に対する断熱効果と、新築建物などの第２の建物の対応する部屋の断熱仕様に対する断熱効果と、を対応付けて出力してもよい。
【０１０２】
また、本発明は、システムまたは装置にプログラムを供給することによって達成される場合にも適用できることはいうまでもない。そして、本発明を達成するためのソフトウェアによって表されるプログラムを格納した記憶媒体を、システムまたは装置に供給し、そのシステムまたは装置のコンピュータ（またはＣＰＵまたはＭＰＵ（Micro  Processing  Unit））が記憶媒体に格納されたプログラムコードを読出し実行することによっても、本発明の効果を享受することが可能となる。
【０１０３】
この場合、記憶媒体から読出されたプログラムコード自体が前述した実施の形態の機能を実現することになり、そのプログラムコードを記憶した記憶媒体は本発明を構成することになる。
【０１０４】
また、コンピュータが読出したプログラムコードを実行することにより、前述した実施の形態の機能が実現されるだけでなく、そのプログラムコードの指示に基づき、コンピュータ上で稼動しているＯＳ（Operation  System）などが実際の処理の一部または全部を行い、その処理によって前述した実施の形態の機能が実現されてもよい。
【０１０５】
さらに、記憶媒体から読み出されたプログラムコードが、コンピュータに挿入された機能拡張ボードおよび／またはコンピュータに接続された機能拡張ユニットに備わるメモリに書き込まれた後、そのプログラムコードの指示に基づき、その機能拡張ボードおよび／または機能拡張ユニットに備わるＣＰＵなどが実際の処理の一部または全部を行い、その処理によって前述した実施の形態の機能が実現されてもよい。
【０１０６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１０７】
１００  コンピュータ
１１０  ＣＰＵ
１２０  タッチパネル
１２１  ディスプレイ
１２２  ポインティングデバイス
１３０  メモリ
１３１  壁・床種類データベース
１３２  開口部種類データベース
１３３  Ｕ値データベース
１３５  壁等級データベース
１３６  床等級データベース
１３７  天井等級データベース
１３８  年代データベース
１４０  メモリインターフェイス
１４１  記憶媒体
１５０  通信インターフェイス
１７０  ボタン
【図１】
0005965192.tif 000002
【図２】
0005965192.tif 000003
【図３】
0005965192.tif 000004
【図４】
0005965192.tif 000005
【図５】
0005965192.tif 000006
【図６】
0005965192.tif 000007
【図７】
0005965192.tif 000008
【図８】
0005965192.tif 000009
【図９】
0005965192.tif 000010
【図１０】
0005965192.tif 000011
【図１１】
0005965192.tif 000012
【図１２】
0005965192.tif 000013
【図１３】
0005965192.tif 000014
【図１４】
0005965192.tif 000015
【図１５】
0005965192.tif 000016
【図１６】
0005965192.tif 000017
【図１７】
0005965192.tif 000018
【図１８】
0005965192.tif 000019